(57)【要約】【課題】本発明は、植物プランクトンの増殖を抑制する方法及びそのための組成物を提供することを目的とする。本発明はまた、望ましくない植物プランクトンの増殖を選択的に抑制する方法を提供することを目的とする。【解決手段】本発明は、対数増殖期にある植物プランクトン及び鉄イオンが含まれる水系中に、鉄イオンと結合し得るキレート化剤を添加することを含む、植物プランクトンの増殖を抑制する方法に関する。本発明はまた、望ましくない植物プランクトン、望ましい植物プランクトン及び鉄イオンが含まれ、且つ当該望ましくない植物プランクトンが対数増殖期にある水系中に、鉄イオンと結合し得るキレート化剤を添加することを含む、当該望ましくない植物プランクトンの増殖を選択的に抑制する方法に関する。本発明はまた、鉄イオンと結合し得るキレート化剤を含有する、対数増殖期にある植物プランクトンの増殖を抑制するための組成物に関する。【選択図】なし【特許請求の範囲】
【請求項１】
対数増殖期にある植物プランクトン及び鉄イオンが含まれる水系中に、鉄イオンと結合し得るキレート化剤を添加することを含む、植物プランクトンの増殖を抑制する方法。
【請求項２】
望ましくない植物プランクトン、望ましい植物プランクトン及び鉄イオンが含まれ、且つ当該望ましくない植物プランクトンが対数増殖期にある水系中に、鉄イオンと結合し得るキレート化剤を添加することを含む、当該望ましくない植物プランクトンの増殖を選択的に抑制する方法。
【請求項３】
鉄イオンと結合し得るキレート化剤を含有する、対数増殖期にある植物プランクトンの増殖を抑制するための組成物。
【発明の詳細な説明】
【技術分野】
【０００１】
本発明は植物プランクトンの増殖を抑制する方法及びそのための組成物に関する。
【背景技術】
【０００２】
かつての我が国は清浄な水にあふれていた。しかしながら、１９６０年代以降、海、湖、河川の水質は年々悪化し、水産資源の減少や飲み水の安全性が社会問題化している。世界的にも人類が利用できる水は意外に少なく、２１世紀は水源の確保が国際問題になると予測されている。
【０００３】
水質悪化の原因として第一に挙げられるのは、海、湖、河川における富栄養化の問題である。工業廃水からの有害物質は排出源における規制が比較的容易であるが、富栄養化の主な原因物質である窒素やリンは、家庭排水、農業廃水を経由して広範囲から莫大な量が流入するため、完全に浄化するには限界がある。その結果、人口が集中した地域では、付近の水域で植物プランクトンが異常発生し、水質が悪化している。
【０００４】
一方、水圏生態系において、植物プランクトンは光合成により二酸化炭素を有機物に変換する一次生産者として重要な役割を担っている。植物プランクトンの全光合成量は陸上植物とほぼ等しく、水圏の豊かな漁業資源を支える源となっている。また、海洋には大気中の二酸化炭素の数十倍以上の炭素が含まれているが、この地球規模の炭素循環においても、植物プランクトンが関与する生物サイクルが大きく寄与している。陸上で草木を栽培し林を育てるのと同様に、水圏において植物プランクトンを自在に養うことができたら、人類は水圏生態系を適正に管理し、水質悪化を防止する手段を手に入れることになる。例えば、海洋で増殖する植物プランクトンの種類と生産量の制御が実現すれば、沿岸海域での赤潮や磯焼け、海洋の砂漠化において有効な対策となり得る。
【０００５】
なお、本発明に関連する文献として非特許文献１及び２がある。これらの文献では、鉄イオンに対して飢餓状態にある植物プランクトンに各種のキレート化剤によりキレート化された鉄イオンを与えて鉄イオンの取込み量の差異を観測している。一方、本発明は以下に詳述する通り、鉄イオンが十分に存在する条件下で対数増殖期にある植物プランクトンの増殖を、鉄イオンと結合し得るキレート化剤を添加することにより抑制する方法に関するものであり、非特許文献１及び２に記載された技術とは顕著に相違する。
【０００６】
【非特許文献１】日本化学会近畿支部平成１４年度北陸地区講演会（富山大学）要旨集、第２８５頁、「Ｊ０４：海洋植物プランクトンの生長におけるＥＤＴＡ類縁体の影響」
【非特許文献２】日本化学会近畿支部平成１４年度北陸地区講演会（富山大学）要旨集、第２９９頁、「Ｊ１８：植物プランクトンの増殖に及ぼす微量金属の影響」
【発明の開示】
【発明が解決しようとする課題】
【０００７】
本発明は、植物プランクトンの増殖を抑制する方法及びそのための組成物を提供することを目的とする。本発明はまた、望ましくない植物プランクトンの増殖を選択的に抑制する方法を提供することを目的とする。
【課題を解決するための手段】
【０００８】
本発明は以下の発明を包含する。
（１）対数増殖期にある植物プランクトン及び鉄イオンが含まれる水系中に、鉄イオンと結合し得るキレート化剤を添加することを含む、植物プランクトンの増殖を抑制する方法。
【０００９】
（２）望ましくない植物プランクトン、望ましい植物プランクトン及び鉄イオンが含まれ、且つ当該望ましくない植物プランクトンが対数増殖期にある水系中に、鉄イオンと結合し得るキレート化剤を添加することを含む、当該望ましくない植物プランクトンの増殖を選択的に抑制する方法。
【００１０】
（３）鉄イオンと結合し得るキレート化剤を含有する、対数増殖期にある植物プランクトンの増殖を抑制するための組成物。
【発明の効果】
【００１１】
本発明により、対数増殖期にある植物プランクトンの増殖を抑制する方法及びそのための組成物が提供される。
【発明を実施するための最良の形態】
【００１２】
本発明は、対数増殖期にある植物プランクトン及び鉄イオンが含まれる水系中に、鉄イオンと結合し得るキレート化剤を添加することを含む、植物プランクトンの増殖を抑制する方法を提供する。
【００１３】
本発明の方法により増殖が抑制され得る植物プランクトンとしては、例えばプレウロクリシス属（Ｐｌｅｕｒｏｃｈｒｙｓｉｓ）、クリコスフェラ属（Ｃｒｉｃｏｓｐｈｅｒａ）等のハプト藻類、ヘテロシグマ属（Ｈｅｔｅｒｏｓｉｇｍａ）、シャトネラ属（Ｃｈａｔｔｎｅｌｌａ）等のラフィド藻類、スケレトネマ属（Ｓｋｅｌｔｏｎｅｍａ）等の珪藻類、ロドモナス属（Ｒｈｏｄｏｍｏｎａｓ）等のクリプト藻類、シアノバクテリア類、渦鞭毛藻類、緑藻類、原核緑藻類、ユーグレナ藻類、プラシノ藻類が挙げられるがこれらに限られない。
【００１４】
ここで鉄イオンはＦｅ２＋又はＦｅ３＋のどちらであってもよく、それらが混合されたものであってもよい。水系中における鉄イオンの濃度は特に限定されないが、植物プランクトンが対数増殖するのに十分な濃度、例えば、外洋においては１ｎＭ〜１０００ｎＭ、沿岸においては５０ｎＭ〜１００μＭであることが好ましい。
【００１５】
本発明に使用され得るキレート化剤は、鉄イオンに結合してキレート化合物を生成する複数の供与原子をもつ試薬であれば特に限定されないが、例えば、ＥＤＴＡ（エチレンジアミン四酢酸）、ＥＤＴＡ−ＯＨ（ヒドロキシエチレンジアミン三酢酸）、ＤＴＰＡ（ジエチレントリアミン五酢酸）、ＥＤＴＰＯ（エチレンジアミンテトラキスメチレンホスホン酸）、ＤＰＴＡ−ＯＨ（１，３−ジアミノ−２−ヒドロキシプロパン−Ｎ，Ｎ，Ｎ’，Ｎ’−四酢酸）、ＧＥＤＴＡ（グリコールエーテルジアミン四酢酸）、ＮＴＡ（ニトリロ三酢酸）、ＩＤＡ（イミノ二酢酸）等のアミノカルボン酸類、ロードトルーリック酸（ｒｈｏｄｏｔｒｕｌｉｃ  ａｃｉｄ）、ＤＦＯＢ（デスフェリオキサミンＢ）等のヒドロキサム酸類、エンテロバクチン等のカテコール類が挙げられる。
【００１６】
本発明において「鉄イオンに結合し得るキレート化剤」は、鉄イオンなどの金属カチオンとキレート化合物を形成した状態で使用されてもよい。例えばＥＤＴＡは、「ＥＤＴＡ−鉄」（鉄イオンとのキレート化合物）として水系中に添加されてもよい。
【００１７】
キレート化剤の水系中への添加方法は特に限定されないが、例えば、キレート化剤は水系中に直接に投与されてもよく、水等の適当な媒体に懸濁又は溶解された状態で投与されてもよく、錠剤、カプセル剤等の適当な形態に製剤化されて投与されてもよい。
【００１８】
キレート化剤の水系中への添加量は植物プランクトンの増殖抑制が達成される量であれば特に限定されないが、典型的には、鉄イオンを１とした場合にキレート化剤がモル比で０．００１以上、好ましくは０．００１〜１０００となる量である。
【００１９】
特定のキレート化剤が特定の植物プランクトンの増殖を特に強力に抑制する場合があることが本発明者らの鋭意研究の結果見出された。この知見に基づけば、望ましくない植物プランクトンと望ましい植物プランクトンとが鉄イオン存在下で共存しており且つ当該望ましくない植物プランクトンが対数増殖期にある水系中に、適当なキレート化剤を、望ましくない植物プランクトンの増殖は抑制されるが望ましい植物プランクトンの増殖は抑制されない量で添加することにより、望ましくない植物プランクトンの増殖を選択的に抑制することができる。
【００２０】
本発明の方法によれば、望ましくない植物プランクトンと望ましい植物プランクトンとが共存する水系において、望ましくない植物プランクトンの増殖を選択的に抑制し、その結果として、望ましい植物プランクトンを優先種として増殖させることが可能である。すなわち、本発明によれば植物プランクトンを選択的に制御することが可能である。一方、従来技術においては、海洋に無機鉄を散布することにより植物プランクトンを増殖させる手法が確立されているが、どのような種類の植物プランクトンが増殖するのか予測できなかった。この点において本発明は従来技術にはない有利な効果を奏するものといえる。
【００２１】
また、本発明において添加されるキレート化剤は水系中の鉄イオンと結合して有機鉄錯体を形成する。形成された有機鉄錯体は溶存態として安定に存在するため、望ましい植物プランクトンに対しては安定な鉄供給体となる（鉄供給体として無機鉄を添加したとしても、水系中で水和酸化物粒子となり速やかに除去されてしまう）。本発明の方法は、この点でも優れた効果を奏する。
【００２２】
ある植物プランクトンが望ましいものであるか否かは、求められる目的に応じて適宜判断される。
【００２３】
望ましくない植物プランクトンとしては、典型的には、赤潮、磯焼け、海洋の砂漠化の原因となる植物プランクトン（具体的には、ヘテロカプサ、ヘテロシグマ、シャトネラ、ギムノディニウム、アレキサンドリウム、ディノフィシス等）、ハプト藻類の一種である円石藻（具体的には、エミリアニア、ゲフィロカプサ等）等が挙げられる。円石藻は炭酸カルシウムを生成する性質を有しており、炭酸カルシウムが海水中で生成されると海水が酸性化して大気中の二酸化炭素濃度が増大するといわれていることから、円石藻の増殖を抑制することができれば大気中の二酸化炭素濃度を低減することができると期待される。
【００２４】
望ましい植物プランクトンとしては、典型的には、有害な性質を持たず魚や二枚貝のエサになる種類の植物プランクトンや、珪藻類（具体的には、タラシオシラ、スケレトネマ等）が挙げられる。珪藻類は海水中の有機物に含まれる炭素を珪酸殻中に固定化後速やかに海底まで沈降するため、珪藻類が増殖すれば炭素が生物圏から半永久的に除去され、結果として大気中の二酸化炭素濃度が低下される。
【００２５】
例えば「望ましくない植物プランクトン」が、プレウロクリシス属、クリコスフェラ属等のハプト藻類、ヘテロシグマ属、シャトネラ属等のラフィド藻類、スケレトネマ属等の珪藻類、ロドモナス属等のクリプト藻類、又はシアノバクテリア類である場合、これらの植物プランクトンの増殖は、ＥＤＴＡ、ＥＤＴＡ−ＯＨ、ＤＴＰＡ、ＥＤＴＰＯ、ＤＰＴＡ−ＯＨ、ＧＥＤＴＡ等のポリアミノカルボン酸類を適当量添加することにより選択的に抑制される。ここで「適当量」は求められる結果に応じて適宜決定され得るが、典型的には、水系中の鉄イオンを１とした場合にポリアミノカルボン酸類がモル比で０．００１以上、好ましくは０．００１〜１０００、より好ましくは０．１〜１０００、最も好ましくは５〜１００となる量を指す。
【００２６】
以下、実施例により本発明をより具体的に説明するが、本発明はこれらの実施例によっては限定されない。
【実施例１】
【００２７】
材料
植物プランクトンとして、プレウロクリシス・カルテラ（Ｐｌｅｕｒｏｃｈｒｙｓｉｓ  ｃａｒｔｅｒａｅ）、クリコスフェラ・ロスコフェンシス（Ｃｒｉｃｏｓｐｈｅｒａ  ｒｏｓｃｏｆｆｅｎｓｉｓ）、ヘテロシグマ・アカシオ（Ｈｅｔｅｒｏｓｉｇｍａ  ａｋａｓｈｉｗｏ）、シャトネラ・アンティーカ（Ｃｈａｔｔｎｅｌｌａ  ａｎｔｉｑｕａ）、スケレトネマ・コスタツム（Ｓｋｅｌｔｏｎｅｍａ  ｃｏｓｔａｔｕｍ）、ロドモナス・オバリス（Ｒｈｏｄｏｍｏｎａｓ  ｏｖａｌｉｓ）、シアノバクテリアＣ７株（ｓｔｒａｉｎ  Ｃ７）、シアノバクテリアＣ８株（ｓｔｒａｉｎ  Ｃ８）を使用した。
【００２８】
培地として改変ｆ／２培地を使用した。改変ｆ／２培地は、人工海水中にＮａＮＯ３  ８．８２ｘ１０−６Ｍ、ＮａＨ２ＰＯ４・２Ｈ２Ｏ  ４．２９ｘ１０−７Ｍ、ビタミンＢ１２  ３．６９ｘ１０−１２Ｍ、ビオチン  ２．０５ｘ１０−１１Ｍ、チアミンＨＣｌ  ２．９６ｘ１０−１０Ｍ、Ｎａ２ＳｉＯ３・９Ｈ２Ｏ  ３．５２ｘ１０−７Ｍ、Ｎａ２ＳｅＯ３  １．００ｘ１０−７Ｍとなるように各成分が添加された溶液１００ｍＬに、ｆ／２金属類水溶液（ＣｏＳＯ４・７Ｈ２Ｏ  ４．２７ｘ１０−１２Ｍ、ＺｎＳＯ４・７Ｈ２Ｏ  ３．４８ｘ１０−１２Ｍ、ＭｎＣｌ２・４Ｈ２Ｏ  ９．０９ｘ１０−１１Ｍ、ＣｕＳＯ４・５Ｈ２Ｏ  ２．８０ｘ１０−１２Ｍ、Ｎａ２ＭｏＯ４・２Ｈ２Ｏ  ２．８９ｘ１０−１２Ｍ）を０．１０ｍＬ添加することにより調製した。
【００２９】
キレート化剤としてＥＤＴＡ（エチレンジアミン四酢酸）、ＤＴＰＡ（ジエチレントリアミン五酢酸）、ＥＤＴＰＯ（エチレンジアミンテトラキスメチレンホスホン酸）を使用した。
【００３０】
鉄イオン源としてＦｅＣｌ３を使用した。
【００３１】
本実験では、溶液、培地、容器、マイクロピペッター、マイクロピペッター用チップはすべて、オートクレーブで高圧滅菌（１２０℃、３０分間）し、続いて７０％エタノールを吹きかけたクリーンベンチ内で２０分間以上ＵＶ照射したものを使用した。
【００３２】
対数増殖期におけるキレート化剤の添加実験
前培養では、改変ｆ／２培地３０ｍＬ（この時点でのＦｅ３＋濃度：約０．０５μＭ）に対数増殖期の植物プランクトンを ２０ cells ｍＬ-1以下になるように植え継ぎ、水温２０℃、明暗サイクル１２時間／１２時間、光量１８０μｍｏｌＥ／ｍ２／ｓの条件下で培養した。
【００３３】
続いて別の改変ｆ／２培地３０ｍＬに２．２５ ｍＭのＥＤＴＡ水溶液１００μＬ、及び、０．４５ ｍＭのＦｅＣｌ３水溶液１００μＬを添加した（この時点でのＥＤＴＡ濃度：７．５μＭ、Ｆｅ３＋濃度：１．５μＭ）。この培地に前培養から植物プランクトンを２０ cellsｍＬ-1以下になるように植え継ぎ、水温２０℃、明暗サイクル１２時間／１２時間、光量１８０μｍｏｌＥ／ｍ２／ｓの条件下で培養を行った。植物プランクトンの細胞密度は５４０ｎｍにおける光散乱を吸光度として分光光度計で経時的に測定した。吸光度の測定結果から植物プランクトンが対数増殖期にあることを確認した後に、２．２５ ｍＭ又は４５ｍＭの各キレート化剤の水溶液を、各キレート化剤の濃度が７．５μＭ（Ｆｅ３＋に対して５倍量）又は１５０μＭ（Ｆｅ３＋に対して１００倍量）となる量だけ添加した。添加後、増殖が止まるまで培養を続けた。
【００３４】
対照実験として、各キレート化剤の水溶液の代わりに水を添加する以外は上記と同様の操作を行う実験を行った。
【００３５】
各植物プランクトンについての経時的な細胞密度の変化を図１に示す。図中の矢印はキレート化剤を添加した日を示す。
【００３６】
図１から次のことがわかる。
プレウロクリシス・カルテラについてはＦｅ３＋に対して５倍量以上のＤＴＰＡもしくはＥＤＴＰＯまたは１００倍量以上のＥＤＴＡを加えることにより増殖が抑制される。
【００３７】
クリコスフェラ・ロスコフェンシスについてはＦｅ３＋に対して５倍量以上のＤＴＰＡもしくはＥＤＴＰＯまたは１００倍量以上のＥＤＴＡを加えることにより増殖が抑制される。
【００３８】
ヘテロシグマ・アカシオについてはＦｅ３＋に対して５倍量以上のＤＴＰＡもしくはＥＤＴＰＯまたは１００倍量以上のＥＤＴＡを加えることにより増殖が抑制される。
【００３９】
シャトネラ・アンティーカについてはＦｅ３＋に対して５倍量以上のＥＤＴＰＯまたは１００倍量以上のＤＴＰＡを加えることにより増殖が抑制される。
【００４０】
スケレトネマ・コスタツムについてはＦｅ３＋に対して５倍量以上のＥＤＴＰＯまたは１００倍量以上のＤＴＰＡを加えることにより増殖が抑制される。
【００４１】
ロドモナス・オバリスについてはＦｅ３＋に対して５倍量以上のＥＤＴＰＯまたは１００倍量以上のＤＴＰＡを加えることにより増殖が抑制される。
【００４２】
シアノバクテリアＣ７株についてはＦｅ３＋に対して５倍量以上のＥＤＴＡ、ＤＴＰＡ又はＥＤＴＰＯを加えることにより増殖が抑制される。
【００４３】
シアノバクテリアＣ８株についてはＦｅ３＋に対して５倍量以上のＤＴＰＡ又はＥＤＴＰＯを加えることにより増殖が抑制される。
【実施例２】
【００４４】
本実施例では、各種キレート化剤（ＥＤＴＰＯ、ＤＰＴＡ−ＯＨ、ＤＴＰＡ、ＥＤＴＡ−ＯＨ、ＥＤＴＡ）について、各種植物プランクトン（クリコスフェラ・ロスコフェンシス、ヘテロシグマ・アカシオ、プレウロクリシス・カルテラ、スケレトネマ・コスタツム、シャトネラ・アンティーカ、ロドモナス・オバリス）に対する生長抑制濃度を測定した。
【００４５】
なお本実施例で用いた材料等は特に断りのない限り実施例１で用いたものと同一である。
キレート化剤の生長抑制濃度の測定（Ｆｅ３＋濃度１．５μＭの場合）
改変ｆ／２培地３０ｍＬ（この時点でのＦｅ３＋濃度：約０．０５μＭ）に０．４５ ｍＭのＦｅＣｌ３水溶液１００μＬ、０．４５〜４５ｍＭのキレート化剤水溶液１００μＬを添加した（この時点でＦｅ３＋濃度：１．５μＭ、キレート化剤濃度：１．５〜１５０μＭ）。この培地に前培養から植物プランクトンを２０ cellsｍＬ-1以下になるように植え継ぎ、水温２０℃、明暗サイクル１２時間／１２時間、光量１８０μｍｏｌＥ／ｍ２／ｓの条件下で培養を行った。植物プランクトンの細胞密度を、５４０ｎｍにおける光散乱を吸光度として分光光度計で経時的に測定した。
【００４６】
対照実験（キレート化剤無添加）として、キレート化剤水溶液の代わりに水を用いた実験を行った。
【００４７】
細胞密度の測定結果に基いて、各条件（植物プランクトン種類／キレート化剤種類／キレート化剤濃度）ごとに生長速度（μ）を式：
μ[ｄａｙ−１]＝ＬｏｇΔＮ／Δｄａｙ
Ｎ：細胞密度［細胞数／ｍＬ］
を用いて算出した。
【００４８】
例えば、プレウロクリシス・カルテレについて、各種キレート化剤の濃度が１．５μＭ、７．５μＭ、１５０μＭの場合の生長速度（μ）は表１の通りであった。
【００４９】
【表１】
2005325064.tif 000002
【００５０】
次に、各条件（植物プランクトン種類／キレート化剤種類／キレート化剤濃度）ごとに生長率（％）を算出した。生長率（％）とは、生長速度を、対照実験の生長速度を１００％としたときの百分率で表現したものである。
【００５１】
続いて、植物プランクトン種類／キレート化剤種類ごとに生長抑制濃度を算出した。生長抑制濃度は次のように定義した。すなわち、植物プランクトン種類／キレート化剤種類ごとに、横軸をキレート化剤濃度（μＭ）とし、縦軸を生長率（％）としてプロットを行い、近似直線を引き、近似直線上で生長率が５０％となるときのキレート化剤濃度（μＭ）を、その植物プランクトン種類／キレート化剤種類における生長抑制濃度（μＭ）と定義した。
【００５２】
キレート化剤の生長抑制濃度の測定（Ｆｅ３＋濃度１５μＭの場合）
生長抑制濃度は系中のＦｅ３＋濃度により異なる場合があることから、上記と同様の実験及び計算を鉄イオン濃度１５μＭの場合についても行った。鉄イオン濃度１５μＭの場合は、０．４５ｍＭのＦｅＣｌ３水溶液に代えて、４．５ｍＭのＦｅＣｌ３水溶液を使用した。また、ロドモナス・オバリスについては測定を行わなかった。
【００５３】
まとめ
こうして算出された、植物プランクトン及びキレート化剤の種類ごとの生長抑制濃度を表２（鉄イオン濃度：１．５μＭ）及び表３（鉄イオン濃度：１５μＭ）に示す。なお、表２及び表３においては生長抑制濃度を鉄イオン濃度に対する百分率（％）で表現する。
【００５４】
表２に示される通り、鉄イオン濃度が１．５μＭである場合には、クリコスフェラ・ロスコフェンシス又はヘテロシグマ・アカシオに対しては特にＥＤＴＰＯ、ＤＰＴＡ−ＯＨ、ＤＴＰＡ又はＥＤＴＡ−ＯＨが、中でも特にＥＤＴＰＯ、ＤＰＴＡ−ＯＨ又はＤＴＰＡが、プレウロクリシス・カルテラ、スケレトネマ・コスタツム又はシャトネラ・アンティーカに対しては特にＥＤＴＰＯ、ＤＰＴＡ−ＯＨ又はＤＴＰＡが、中でも特にＥＤＴＰＯ又はＤＰＴＡ−ＯＨが、ロドモナス・オバリスに対しては特にＥＤＴＰＯ、ＤＰＴＡ−ＯＨ又はＤＴＰＡが、中でも特にＥＤＴＰＯが、有効な生長抑制剤になり得る。
【００５５】
表３に示される通り、鉄イオン濃度が１５μＭである場合には、ヘテロシグマ・アカシオに対しては特にＥＤＴＰＯ、ＤＰＴＡ−ＯＨ、ＤＴＰＡ、ＥＤＴＡ−ＯＨ又はＥＤＴＡが、中でも特にＥＤＴＰＯ、ＤＰＴＡ−ＯＨ又はＤＴＰＡが、スケレトネマ・コスタツムに対しては特にＥＤＴＰＯ、ＤＰＴＡ−ＯＨ、ＤＴＰＡ、ＥＤＴＡ−ＯＨ又はＥＤＴＡが、中でも特にＥＤＴＰＯ又はＤＴＰＡが、シャトネラ・アンティーカに対しては特にＥＤＴＰＯ、ＤＰＴＡ−ＯＨ又はＤＴＰＡが、中でも特にＥＤＴＰＯ又はＤＴＰＡが、プレウロクリシス・カルテラに対しては特にＥＤＴＰＯ、ＤＰＴＡ−ＯＨ又はＤＴＰＡが、中でも特にＥＤＴＰＯが、クリコスフェラ・ロスコフェンシスに対しては特にＥＤＴＰＯ、ＤＰＴＡ−ＯＨ又はＤＴＰＡが、中でも特にＥＤＴＰＯ又はＤＴＰＡが、有効な生長抑制剤になり得る。
【００５６】
【表２】
2005325064.tif 000003
【００５７】
【表３】
2005325064.tif 000004
【図面の簡単な説明】
【００５８】
【図１ａ】各植物プランクトンについての経時的な細胞密度の変化における、各種キレート化剤の添加の影響を示す図である。
【図１ｂ】各植物プランクトンについての経時的な細胞密度の変化における、各種キレート化剤の添加の影響を示す図である。
【図１ａ】
2005325064.tif 000005
【図１ｂ】
2005325064.tif 000006